(57)【要約】【課題】犬や猫等のペットを車両に乗せた場合に、ペットの抜け毛・排泄物等により、座席やフロアの汚損を防止することが可能であり、かつ、取付け・取外しが簡便で保管時にも大きなスペースを必要としない、機動性の高いペット用ドライブシートを提供すること。【解決手段】ペット用シート１であって、全体が略シート状であって、シート状の長手方向及び／又は短手方向の側辺部に折返部２ａ、２ｂを有するシート本体２と、シート本体２に設けられてシート本体２を車両の座席１５に固定可能な固定手段５ａ、５ｂ、６ａ、６ｂとを備えたこと。【選択図】　　　図１
0003098038.tif 000002
【実用新案登録請求の範囲】
【請求項１】
全体が略シート状であって、該シート状の長手方向及び／又は短手方向の側辺部に折返部を有するシート本体と、前記シート本体に設けられてシート本体を所定の場所に固定可能な固定手段とを備えたこと
を特徴とするペット用シート。
【請求項２】
前記シート本体の長手方向若しくは短手方向の側辺部の少なくともいずれかに補助シートを係合可能な構成としたことを特徴とする請求項１に記載のペット用シート。
【請求項３】
前記折返部は、シート本体の長手方向の側辺部に設けられた側辺折返部と、シート本体の短手方向の下方側辺部に設けられた下辺折返部からなることを特徴とする請求項１又は請求項２に記載のペット用シート。
【請求項４】
前記下辺折返部は、シート本体の短手方向の下方側辺部を上方に折り返してポケットが形成され、該ポケットは両端が結合していることを特徴とする請求項１乃至請求項３のうち、いずれか１に記載のペット用シート。
【請求項５】
前記側辺折返部は、シート本体の長手方向の側辺部と結合している部位を有することを特徴とする請求項１乃至請求項４のうち、いずれか１に記載のペット用シート。
【請求項６】
前記シート本体の長手方向の側辺部には、第１の係合部を備え、前記側辺折返部には、前記第１の係合部と係合可能な第２の係合部を備え、前記第１の係合部及び第２の係合部は、シート本体に補助シートを係合可能な構成としたことを特徴とする請求項１乃至請求項５のうち、いずれか１に記載のペット用シート。
【請求項７】
前記第１の係合部及び第２の係合部は、前記側辺折返部の内側に設けられていることを特徴とする請求項１乃至請求項６のうち、いずれか１に記載のペット用シート。
【請求項８】
前記固定手段は、シート本体の短手方向の上方側辺部に設けられた第１の固定部材と、シート本体の長手方向の側辺部の中央部近傍に設けられた第２の固定部材からなることを特徴とする請求項１乃至請求項７のうち、いずれか１に記載のペット用シート。
【請求項９】
前記ペット用シートは、前記シート本体の巻上げ時に該シート本体を保持可能な保持部材を備えたことを特徴とする請求項１乃至請求項８のうち、いずれか１に記載のペット用シート。
【請求項１０】
前記保持部材は、シート本体の短手方向の上方側辺部に結合された帯状部材と、該帯状部材と結合された第１の連結部材と、前記第１の連結部材と結合可能な第２の連結部材を有して、シート本体の巻上げ時に、前記帯状部材を巻上げられたシート本体に周回させ、第１の連結部材を第２の連結部材に係止してシート本体を保持可能な構成としたことを特徴とする請求項１乃至請求項９のうち、いずれか１に記載のペット用シート。
【請求項１１】
前記シート本体は、撥水性・耐候性・耐水性等を有するポリエステルその他の合成樹脂製のシート表面部と、対候性・耐水性・耐熱性・耐電圧性を有するポリ塩化ビニルその他の合成樹脂製材をコーティングしてあるシート裏面部とにより形成されている請求項１乃至請求項１０のうち、いずれか１に記載のペット用シート。
【考案の詳細な説明】
【０００１】
【考案の属する技術分野】
本考案は、犬や猫等のペットを車両に乗せた場合に、ペットの抜け毛・排泄物等により、座席やフロアの汚損を防止することが可能であり、かつ、取付け・取外しが簡便で保管時にも大きなスペースを必要としないペット用シートに関する。
【０００２】
【従来の技術】
従来、犬や猫等のペットを自動車などの車両に乗せる場合には、車内に汚損防止用のペット用シートを装着してこの上にペットを乗せることが行われており、このようなペット用シートとしては、特開２０００−３１６４０４号公報（特願平１１−１３０６５１号）に掲載されているペット用シートカバーのようなものがある（特許文献１参照）。特開２０００−３１６４０４号公報の図１に示すように、ペット用シートカバー１０は、略コの字のカバー本体１と、カバー本体１に設けられた切欠部１ａと、カバー本体１に設けられてカバー本体１を車両の座席に係止可能な係止部材２Ｌ、２Ｒ、３Ｌ、３Ｒとを有している。
【０００３】
前記ペット用シートカバー１０を車両の座席に取り付ける場合は、特開２０００−３１６４０４号公報の図２及び図３（ａ）に示すように、切欠部１ａが設けられているカバー本体１の側辺を前部座席側にして、前部座席のヘッドレスト５Ｌ、５Ｒに係止部材２Ｌ、２Ｒを係止し、後部座席６のヘッドレスト７Ｌ、７Ｒに係止部材３Ｌ、３Ｒを係止して、ペット用シートカバー１０を車両に設置する。特開２０００−３１６４０４号公報の図３（ｂ）に示すように、後部座席６のヘッドレスト７Ｌ、７Ｒに係止部材３Ｌ、３Ｒを係止させたまま、前部座席のヘッドレスト５Ｌ、５Ｒには係止部材２Ｌ、２Ｒを係止させずに、切欠部１ａが設けられているカバー本体１の前側部分を後部座席６の座部６ｂから垂らしてフロア１５に敷くこともできる。
【０００４】
また、車内に汚損防止用のペット用ケースを設置してこの中にペットを収容することも行われており、このようなペット用ケースとしては、特開２００２−１５９２３９号公報（特願２０００−３６１７１０号）に掲載されているペット用車載ケースのようなものがある（特許文献２参照）。特開２００２−１５９２３９号公報の図６、図７及び図１０に示すように、ペット用車載ケース１は、内部にペットを収容可能で展開及び組立てが可能な箱体２と、箱体２を車両の座席５０に固定可能な固定部材３（又は２３、３３）を有している。
【０００５】
前記ペット用車載ケース１を車両の座席５０に取り付ける場合は、特開２００２−１５９２３９号公報の図６に示すように、底面と側面によりペットの収容空間を形成するように箱体２を組立て、同図７に示すように、箱体２を座席５０に載置して固定部材３（又は２３、３３）により座席に固定する。
【０００６】
さらに、特開平１１−２７６３１０号公報（特願平１０−１００２２４号）には、自動車用シートカバーが掲載されており、特開平１１−２７６３１０号公報の図１に示すように、物品脱落防止部材１に設けられた引っ張り紐２を座席７のヘッドレスト７１に係止させて、その張力によって物品脱落防止部材１を袋状に開口させる構成が開示されている（特許文献３）。
【０００７】
なお、本願出願人は、平成１４年２月２０日付けで「ペット用シート」について特許出願を行っている（特願２００２−０４２４１５）。
【０００８】
【特許文献１】
特開２０００−３１６４０４号公報（図１乃至図３）
【特許文献２】
特開２００２−１５９２３９号公報（図６、図７、図１０）
【特許文献３】
特開平１１−２７６３１０号公報（図１）
【０００９】
【考案が解決しようとする課題】
しかしながら、特開２０００−３１６４０４号公報に掲載されているペット用シートカバー１０（特許文献１参照）では、カバー本体１の周縁部にはペットの抜け毛・排泄物等を受け止める構成を有するものではないため、例えば、ペットがシートカバー１０の上で排泄をした場合、排泄物がペット用シートカバー１０から流れ出てしまい、座席やフロアの汚損を確実に防止することはできない。また、前部座席と後部座席の間を掛け渡して使用する大きいものであるため装着に手間がかかり、ペット用シートカバー１０を使用しない場合、車内に収納すると相当の場所を占有してしまう。
【００１０】
この点、特開平１１−２７６３１０号公報（特願平１０−１００２２４号）に掲載されている自動車用シートカバー（特許文献３参照）は、物品脱落防止部材１が設けられているため、自動車用シートカバー上のものを受け止め可能であるが、物品脱落防止部材１を袋状に開口させるために引っ張り紐２を座席７のヘッドレスト７１に係止させる必要があるため装着に手間がかかり、また、自動車用シートカバーにペットを乗せた場合、ペットが引っ張り紐２を嫌って余計なストレスを与えるおそれもある。
【００１１】
また、特開２００２−１５９２３９号公報に掲載されているペット用車載ケース１（特許文献２参照）では、箱体１を座席に固定して使用するものであり、ペットを乗せない場合でも常時座席を占有してしまうので、人が座席を使用する場合にはペット用車載ケース１を車外に取り外す必要がある。
【００１２】
そこで、本考案は、犬や猫等のペットを車両に乗せた場合に、ペットの抜け毛・排泄物等により、座席やフロアの汚損を防止することが可能であり、かつ、取付け・取外しが簡便で保管時にも大きなスペースを必要としない、機動性の高いペット用ドライブシートを提供することを目的とするものである。
【００１３】
【課題を解決するための手段】
本考案によるペット用シートは、全体が略シート状であって、該シート状の長手方向及び／又は短手方向の側辺部に折返部を有するシート本体と、前記シート本体に設けられてシート本体を所定の場所に固定可能な固定手段とを備えたことを特徴とする。また、前記シート本体の長手方向若しくは短手方向の側辺部の少なくともいずれかに補助シートを係合可能な構成としたことを特徴とする。また、前記折返部は、シート本体の長手方向の側辺部に設けられた側辺折返部と、シート本体の短手方向の下方側辺部に設けられた下辺折返部からなることを特徴とする。また、前記下辺折返部は、シート本体の短手方向の下方側辺部を上方に折り返してポケットが形成され、該ポケットは両端が結合していることを特徴とする。また、前記側辺折返部は、シート本体の長手方向の側辺部と結合している部位を有することを特徴とする。また、前記シート本体の長手方向の側辺部には、第１の係合部を備え、前記側辺折返部には、前記第１の係合部と係合可能な第２の係合部を備え、前記第１の係合部及び第２の係合部は、シート本体に補助シートを係合可能な構成としたことを特徴とする。また、前記第１の係合部及び第２の係合部は、前記側辺折返部の内側に設けられていることを特徴とする。また、前記固定手段は、シート本体の短手方向の上方側辺部に設けられた第１の固定部材と、シート本体の長手方向の側辺部の中央部近傍に設けられた第２の固定部材からなることを特徴とする。また、前記ペット用シートは、前記シート本体の巻上げ時に該シート本体を保持可能な保持部材を備えたことを特徴とする。また、前記保持部材は、シート本体の短手方向の上方側辺部に結合された帯状部材と、該帯状部材と結合された第１の連結部材と、前記第１の連結部材と結合可能な第２の連結部材を有して、シート本体の巻上げ時に、前記帯状部材を巻上げられたシート本体に周回させ、第１の連結部材を第２の連結部材に係止してシート本体を保持可能な構成としたことを特徴とする。また、前記シート本体は、撥水性・耐候性・耐水性等を有するポリエステルその他の合成樹脂製のシート表面部と、対候性・耐水性・耐熱性・耐電圧性を有するポリ塩化ビニルその他の合成樹脂製材をコーティングしてあるシート裏面部とにより形成されている。
【００１４】
【考案の実施の形態】
以下図面を参照して本考案によるペット用ドライブシートの実施の形態について図１乃至図５を用いて説明する。
図１（ａ）は、本考案によるペット用シートを車両の座席に取り付けた状態を示す斜視図、（ｂ）は、座席の背面側からみた斜視図、図２は、本考案によるペット用シートの平面図、図３は、シート本体の折り返し部の構造を示したもので、（ａ）は図２中のＡ−Ａ断面図、（ｂ）は図２中のＢ−Ｂ断面図、図４は、本考案によるペット用シートに補助シートを取り付け状態を示す図、図５は、本考案によるペット用シートの巻き上げを保持する状態を示す図である。
【００１５】
図１乃至図５に示すように、本考案によるペットシート１は、犬や猫等のペットを車両に乗せた場合に、車の座席上に配されたペット用シートの存在により、ペットの抜け毛・排泄物等によって、座席やフロアの汚損を防止され、かつ、略シート状で構成したことから、取付け・取外しが簡便で保管時にも大きなスペースを必要としない点にその特徴を有するものである。
【００１６】
図１に示すように、本考案によるペット用シート１は、車両の座席１５上に配されて使用されるものであって、全体が略シート状で構成されたシート本体２及びシート本体を座席１５に固定するための、固定手段たる固定部材からなるものである。
【００１７】
まず、ペット用シート１を構成するシート本体２につて説明するに、座席１５の汚損を防止のため、座部１５ａ及び背部１５ｂの外面上に沿うように配されることから、座席１５の外面形状に対応して、縦長略矩形状に構成されているものである。
【００１８】
シート本体２の表面部は、ペット自体、ペットの抜け毛及び排泄物等が直に触れる可能性を考慮し、撥水性、耐候性、耐水性等を有するポリエステルや、その他の合成樹脂素材が好適である。また、シート本体２の裏面部は、車両の座席１５の外面に直に触れることから、対候性、耐水性、耐熱性、耐電圧性を有するポリ塩化ビニルや、その他の合成樹脂素材によってコーティングされる事が好適である。また、シート本体２の色彩は、車両内部のインテリアや、ペット用シート１の装着される座席１５以外の座席１５の色彩等を考慮し、適宜選択可能である。また、夏期においては、白色、冬期においては黒色と、太陽光の吸収性を考慮してシート本体２の色彩を選択可能である。
【００１９】
図２に示すように、座席１５の外面に合わせて縦長略矩形状で構成されたシート本体２は、側辺を構成する長手方向、下辺を構成する短手方向の側辺部に折返部２ａ１、２ａ２、２ｂが配されている。
【００２０】
シート本体２の長手方向の側辺部には、シート本体２のペット等に触れる面の内部方向に向けて開口し、シート本体２の左右両端部において結合された側辺折返部２ａ１、２ａ２が設けられている。
【００２１】
本実施の形態においては、図３（ｂ）に示すように、側辺折返部２ａ１、２ａ２は、シート本体２と別部材によって構成されており、シート本体２の表面部と同じ素材が、外面（表面）になるよう配されるものであって、シート本体２とのデザインの整合性及び撥水性、耐候性、耐水性等が側辺折返部２ａ１、２ａ２の外面（表面）においても確保されるものである。
【００２２】
また、側辺折返部２ａ１、２ａ２は、シート本体２のペット等に触れる面の内部方向に向けてシート本体２自体を折り返して構成することも可能であるが、その場合においては、側辺折返部２ａ１、２ａ２をさらにシート本体２の外側へ折り返すことによって、シート本体２の表面と同一面を側辺折返部２ａ１、２ａ２の外面（表面）とすることも可能である（図３に示す下辺側辺部２ｂの状態と同様になる）。
【００２３】
また、シート本体２の短手方向の側辺部に設けられた下辺折返部２ｂは、図３（ａ）に示すように、シート本体２のペット等に触れる面の内部方向（上方向）に向けてシート本体２が折り返されて構成されて、ペットの排泄物等を溜めておく谷折部２ｂ１を形成し、さらに前述の如く、下辺折返部２ｂの外面（表面）が、シート本体２の表面と同一面が現れるように、シート本体２の外側に対して再度折り返して、山折部２ｂ２を形成しているものである。
【００２４】
さらに、下辺折返部２ｂにおいては、該下辺折返部２ｂの左右両端や、その近傍において、シート本体２の側辺部と密着する部分と結合されてポケット状に構成されているものである。結合方法については、強度、製造コストを考慮し、縫合による結合、圧着加工等適宜選択可能である。本実施の形態においては下辺折返部２ｂ左右両端において、シート本体２の両端部に縫合され、さらに、下辺折返部２ｂの左右両端近傍においても結合部２ｂ３を設けて縫合することによって、さらに結合強度を高めている。
【００２５】
また、シート本体２及び折返部２ａ１、２ａ２、２ｂを構成する素材の切断面が現れる端部においては、補強縁部２ｃ、２ｄ１、２ｄ２が前記切断面を覆うように配されている。即ち、本実施の形態においては、シート本体２及び側辺折返部２ａ１、２ａ２の切断面を覆い、シート本体２の周囲を囲う補強縁部２ｃ、側辺折返部２ａ１、２ａ２の切断面が現れるシート本体２の内側方向に位置する端部を覆う補強縁部２ｄ１、２ｄ２が配されている。補強縁部２ｃ、補強縁部２ｄ１、２ｄ２が、切断面を覆うことにより、シート本体２や、側辺折返部２ａ１、２ａ２の素材自体が裂けてしまうことや、布状素材の場合のほころび防止、製品としてのデザイン性が確保されるものであり、シート本体２等と補強縁部２ｃ、２ｄ１、２ｄ２の縫合又は圧着加工等適宜の方法で結合が行われる。
【００２６】
また、図２及び図４に示すように側辺折返部２ａ１、２ａ２の内部には、係合部材８が、左右の側辺折返部２ａ１、２ａ２の対向する位置に配されている。係合部材８は、ペットの排泄物を吸収して、シート本体２と、座席１５を含む車両本体が汚損されることを防止する補助シートたる吸水シート１０をシート本体２に固定するものである。即ち、係合部材８は、シート本体２側に配された第１の係合部８ａと、側辺折返部２ａ１、２ａ２側に配された第２の係合部８ｂからなるものであって、第１の係合部材８ａと第２の係合部材８ｂの間に吸水シート１０を介して係合することにより、吸水シート１０の固定を行うものである。本実施の形態においては、図２に示すように、係合部材８は、シート本体２の下辺部近傍とシート本体２の中央よりやや下方の側辺折返部２ａ１、２ａ２に配されているものであるが、これは、ペット用シート１を座席１５に装着した場合において、ペット及びその排泄物が直に触れる座部１５ａの上部及び排泄物が下方に流出する点を考慮して配されたものであり、仮に排泄物の流出は基本的に想定されないものの、座席１５の背部１５ｂにおいても吸水シートを装着する場合は、背部１５ｂに対応して、シート本体２の上部に係合部材を設けることも可能である。
【００２７】
しかして、折返部たる側辺折返部２ａ１、２ａ２及び下辺折返部２ｂは、車両の座席１５に装着されたシート本体２上に、ペットの排泄物が流れ出た場合においても、折返部２ａ１、２ａ２、２ｂの存在によって、側辺折返部２ａ１、２ａ２の内部及び下辺折返部２ｂのポケットの内部に、流れ出た排泄物を留め置くことが可能であって、排泄物の流出が抑えられ、座席１５や、車両のフロアの汚損が防止されるものである。また、側辺折返部２ａ１、２ａ２の内部に配された係合部材８を用いて吸水シート１０をシート本体２上に配した場合においても、吸水シート１０のみでは、吸収しきれなかった排泄物を留め置くことが可能であると同時に、吸水シートの左右両端部が側辺折返部２ａ１、２ａ２の内部に収納されることによって、ペットが吸水シート１０の左右両端部に爪や、足を引っかけて吸水シート１０がシート本体２から剥がれてしまうことが防止される。また、係合部材８が側辺折返部２ａ１、２ａ２の内部に配されるため、吸水シート１０の係合部分が側辺折返部２ａ１、２ａ２に覆われ、デザイン性が確保されている。
【００２８】
尚、本実施の形態においては、補助シートには吸水シート１０を使用したが、吸水性を有するシートに限られるものではなく、状況に応じて布地等を適宜選択可能である。
【００２９】
次に、ペット用シート１を構成し、シート本体２を車両に固定する固定手段について説明する。シート本体２は、座席１５からのずれを防止して、確実に座席１５上に固定するべく、固定手段によって座席上に固定されるものであって、固定手段は、第１の固定部材５ａ、５ｂと第２の固定部材６ａ、６ｂからなるものである。
【００３０】
第１の固定部材５ａ、５ｂは、図１及び図２に示すように、シート本体２の上辺に配されるものであって、本実施の形態においては、帯状に構成され一端がシート本体２の上方側辺部に結合された帯状部材５ａ１と、帯状部材の他端に結合された連結部材５ａ２と、連結部材５ａ２と適宜結合可能でシート本体２の上方側辺部に配された環状部材５ｂとからなっており、連結部材５ａ２と環状部材５ｂによっていわゆるナスカンを構成して自在に連結、解除を可能とするものである。固定部材５ａは、座席１５の頭部ｃや、背部１５ｂと頭部１５ｃの間の支持柱等にかけ回されて、環状部材５ｂに連結されて、シート本体２の固定を行うものである。
【００３１】
また、帯状部材５ａ１の中腹には、帯状部材５ａ１の長さを自在に調節して、シート本体２の確実な締結を行うため、調節部５ａ３が配されているものであって、調節部５ａ３の設定によって、最適な長さに帯状部材５ａ１を調節可能となっているものである。
【００３２】
また、本実施の形態においては、いわゆるナスカンによって、固定部材５ａと環状部材５ｂを連結して固定を行っているが、例えば、バックルや、ボタン機構、ひもの締結等によってもシート本体２を固定可能である。
【００３３】
第２の固定部材６ａ、６ｂは、図１及び図２に示すように、シート本体２の側辺にベルト状に配されるものであって、本実施の形態においては、側辺部の中央近傍に設けられている。第２の固定部材６ａ、６ｂは、帯状部材６ａ１、６ｂ１と、連結部材６ｂ１、６ｂ１からなるものであって、帯状部材６ａ１、６ｂ１は、左右一対の側辺部に各々一端を結合され、他端に連結部材６ａ２、６ｂ２が結合されるものである。図１（ｂ）からも明らかなように、第２の固定部材は、座席１５の背部１５ｂの背面側のかけ回されて、連結部材６ａ２、６ｂ２同士の結合によって、シート本体２の固定が行われるものである。
【００３４】
また、帯状部材６ａ１、６ｂ１の中腹には、帯状部材６ａ１、６ｂ１の長さを自在に調節して、シート本体２の確実な締結を行うため、調節部６ｂ３が配されているものであって、調節部６ｂ３の設定によって、最適な長さに帯状部材６ａ１、６ｂ１を調節可能となっているものである。
【００３５】
本実施の形態においては、連結部材６ａ２、６ｂ２は、バックルによって、ベルトの連結、解除を行うものであるが、例えば、ボタン機構、ひもの締結、ナスカン等によってもシート本体２を固定可能である。
【００３６】
また、本実施の形態においては、ペット用シート１を構成するシート本体２には、ペット用シート１を容易な収納を可能とするべく、保持部材７ａ、７ｂが配されている。保持部材７ａ、７ｂは、シート本体２を巻上げた場合において、該シート本体２を周回して、シート本体２を巻き上げられた状態に保持可能なものである。しかして、図２に示すように、保持部材７ａ、７ｂは、シート本体２の上方側辺部の両端近傍に２箇所配されるものであって、一端がシート本体２の上方側辺部に結合された帯状部材７ａ１、７ｂ１と、帯状部材７ａ１、７ｂ１の他端に結合された第１の連結部材７ａ２、７ｂ２と、第１の連結部材７ａ２、７ｂ２と結合可能な第２の連結部材７ａ３、７ｂ３から構成されているものである。第２の連結部材７ａ３、７ｂ３は、シート本体２の上方側辺部と帯状部材７ａ１、７ｂ１の結合部に、帯状部材７ａ１、７ｂ１に積層するように配されているものであり、シート本体２を巻き上げた場合においては、巻き上げられたシート本体２に、帯状部材７ａ１、７ｂ１を周回させて、帯状部材７ａ１、７ｂ１に結合されている第１の連結部材７ａ２、７ｂ２を、第２の連結部材７ａ３、７ｂ３に連結させて、シート本体２の巻き上げ状態を維持するものである。
【００３７】
また、本実施の形態においては、第１の連結部材７ａ２、７ｂ２及び第１の連結部材と連結される第２の連結部材７ａ３、７ｂ３は、バックルによって、ベルトの連結、解除を行うものであるが、例えば、ボタン機構、ひもの締結、ナスカン等によってもシート本体２を固定可能である点は、前述の第２の固定部材６ａ、６ｂと同様である。
【００３８】
また、帯状部材７ａ１、７ｂ１の中腹には、帯状部材７ａ１、７ｂ１の長さを自在に調節して、シート本体２の巻き上げを確実に行い、コンパクト化を図るべく、調節部７ａ４、７ｂ４が配されているものであって、調節部７ａ４、７ｂ４の設定によって、最適な長さに帯状部材７ａ１、７ｂ１を調節して、シート本体２の巻き上げを可能としている。また、図５に示すように、シート本体２の巻き上げを行う場合においては、予め第２の固定部材たる固定ベルト６ａ、６ｂの連結部材６ａ２、６ｂ２同士を、座席１５の背部１５ｂに周回させず、連結させ、かつ、調節部６ｂ３を最適な長さに調整して整理しておくと、固定ベルト６ａ、６ｂが暴れず、邪魔にならず、収納が容易になる。
【００３９】
また、図５に示すように、第１の固定部材５ａ、５ｂを座席１５の頭部１５ｃにかけ回したまま、シート本体２を巻き上げ、座席１５上において不使用時のコンパクト化を図ることも可能である。また、ペットではなく、人が座席１５を使用する場合においては、巻き上げられたシート本体２を座席１５の背面側に回動させて、座席１５の背面側において収納を行うことが可能である。
【００４０】
【考案の効果】
以上説明したように、本考案によれば、犬や猫等のペットを車両に乗せた場合に、ペットの抜け毛・排泄物等により、座席やフロアの汚損を防止され、しかも、取付け・取外しが簡便で保管時にも大きなスペースを必要とせず、機動性の高い。
【００４１】
【図面の簡単な説明】
【図１】本考案によるペット用シートを車両の座席に取り付けた状態を示す斜視図であり、（ｂ）は、座席の背面側からみた斜視図である。
【図２】本考案によるペット用シートの平面図である。
【図３】シート本体の折り返し部の構造を示したもので、（ａ）は図２中のＡ−Ａ断面図、（ｂ）は図２中のＢ−Ｂ断面図である。
【図４】本考案によるペット用シートに補助シートを取り付け状態を示す図である。
【図５】本考案によるペット用シートの巻き上げを保持する状態を示す図である。
【符号の説明】
１　　　　　　　ペット用シート
２　　　　　　　シート本体
２ａ１，２ａ２　側辺折返部（折返部）
２ｂ　　　　　　下辺折返部（折返部、ポケット）
２ｂ１　　　　　谷折部
２ｂ２　　　　　山折部
２ｂ３　　　　　結合部
２ｃ　　　　　　補強縁部
２ｄ１，２ｄ２　補強縁部
２ｅ　　　　　　ペット座部
５ａ　　　　　　固定部材（固定手段、第１の固定部材）
５ａ１　　　　　帯状部材
５ａ２　　　　　連結部材
５ａ３　　　　　調節部
５ｂ　　　　　　環状部材（固定手段、第１の固定部材）
６ａ，６ｂ　　　固定ベルト（固定手段、第２の固定部材）
６ａ１，６ｂ１　帯状部材
６ａ２，６ｂ２　連結部材
６ｂ３　　　　　調節部
７ａ，７ｂ　　　保持部材
７ａ１，７ｂ１　帯状部材
７ａ２，７ｂ２　第１の連結部材
７ａ３，７ｂ３　第２の連結部材
７ａ４，７ｂ４　調節部
８　　　　　　　係合部材
８ａ　　　　　　第１の係合部
８ｂ　　　　　　第２の係合部
１０　　　　　　補助シート（吸水シート）
１５　　　　　　座席
１５ａ　　　　　座部
１５ｂ　　　　　背部
１５ｃ　　　　　頭部
【図１】
0003098038.tif 000003
【図２】
0003098038.tif 000004
【図３】
0003098038.tif 000005
【図４】
0003098038.tif 000006
【図５】
0003098038.tif 000007